(57)【要約】【課題】外気が寒い状況において、エンジンの暖気を速やかに行うことができる車両用廃熱回収システムを提供するものである。【解決手段】冷凍サイクル回路３０における圧縮機３１と放熱器３２との間に、エンジン冷却水回路２０を流れる冷却水と冷凍サイクル回路３０を流れる冷媒との熱交換を行う熱交換器２７を配設したことを特徴とする車両用廃熱回収システム１。【選択図】図１
2019120164.tif 000002
【特許請求の範囲】
【請求項１】
エンジンの廃熱を利用して作動流体を加熱する加熱器と、前記加熱器を経由した作動流体を膨張させて動力を発生する膨張機と、前記膨張機を経由した作動流体を凝縮させるランキン用凝縮器と、前記ランキン用凝縮器を経由した作動流体を前記加熱器へ送出する作動流体ポンプを順次配設したランキンサイクル回路を有するランキンサイクルシステムと、
前記加熱器とエンジンとを経由して冷却水がポンプを介して循環するエンジン冷却水回路を有するエンジン冷却水システムと、
冷媒を圧縮する圧縮機と、前記圧縮機で圧縮された冷媒を放熱する熱交換器と、前記放熱器で外気と熱交換された後の冷媒を減圧する減圧装置と、減圧された冷媒を加熱する蒸発器を順次配設した冷凍サイクル回路を有する冷凍サイクルシステムとを備え、
前記熱交換器は、前記エンジン冷却水回路を流れる冷却水と前記冷凍サイクル回路を流れる冷媒との熱交換を行う熱交換器であって、前記エンジン冷却水回路における前記加熱器と前記エンジンとの間に配設したことを特徴とする車両用廃熱回収システム。
【請求項２】
前記熱交換器は、前記エンジン冷却水回路における前記加熱器の下流側に配設したことを特徴とする請求項１に記載の車両用廃熱回収システム。
【請求項３】
前記冷凍サイクルシステムは、前記圧縮機で圧縮された冷媒を外気と熱交換させる放熱器を前記熱交換器と前記減圧装置との間に配設したことを特徴とする請求項１または２に記載の車両用廃熱回収システム
【請求項４】
前記冷凍サイクル回路には、前記圧縮機と前記熱交換器との間と前記熱交換器と前記減圧装置との間とを接続して前記熱交換器をバイパスするバイパス路と、冷媒の流れを前記熱交換器側または前記パイパス路側に切換える切換装置とが配設されていることを特徴とする請求項３に記載の車両用廃熱回収システム。
【請求項５】
前記切換装置は、前記バイパス路の接続部に設けられた切換弁である請求項４に記載の車両用廃熱回収システム。
【請求項６】
前記冷凍サイクル回路における前記圧縮機の吐出側の吐出冷媒温度が、前記エンジン冷却水回路における前記熱交換器の入口側の冷却水温度より高い場合に、前記切換装置は前記熱交換器側に冷媒を流し、
前記圧縮機の吐出側の吐出冷媒温度が、前記エンジン冷却水回路における前記熱交換器の入口側の冷却水温度以下の場合に、前記切換装置は前記バイパス路側に冷媒を流すように制御されることを特徴とする請求項４または５のいずれかに記載の車両用廃熱回収システム。
【発明の詳細な説明】
【技術分野】
【０００１】
本発明は、作動流体を循環させる冷媒ポンプと、前記冷媒ポンプによって送られてきた作動流体を車両のエンジンの廃熱によって加熱する加熱器と、前記加熱器によって加熱されて気化した作動流体を膨張させて出力を発生する膨張機と、前記膨張機によって膨張された作動流体を凝縮させるランキン用凝縮器とを有するランキンサイクルを備えた車両用廃熱回収装置に関する。
【背景技術】
【０００２】
従来技術として、特許文献１に開示されエンジンの廃熱を利用してエネルギーを生成する廃熱回生システムが知られている。このエンジンの廃熱を利用する廃熱回生システムは、  冷凍サイクルの廃熱をランキンサイクルに利用するため、内燃機関が発生する熱を冷却水により冷却する内燃機関冷却システムと、冷媒を圧縮するコンプレッサと、前記コンプレッサにより圧縮された高温高圧の冷媒を凝縮させて液化する熱交換器と、前記熱交換器によって液化した冷媒を膨張させることにより気化させる膨張弁と、前記気化された冷媒により空気を冷却するエバポレータと、前記コンプレッサによって圧縮された冷媒とランキンサイクルシステムの媒体とで熱交換を行う熱交換器と、を備える冷凍サイクルシステムと、前記冷却水の熱によって媒体を気化させる蒸発器と、前記気化された媒体によりエネルギーを発生させる膨張器と、前記気化された媒体を凝縮して液化させる凝縮器と、前記液化された媒体を前記熱交換器へと送るポンプと、を備えるランキンサイクルシステムとを備えた廃熱回生システムである。
【０００３】
また、特許文献２には、特許文献１と同様に、エンジンの廃熱を利用してエネルギーを生成する廃熱回生システムであって、冷凍サイクルの廃熱をランキンサイクルに利用するため、冷凍サイクルの吐出冷媒とランキンサイクルの作動流体とを熱交換させるエアコン熱交換器（第一熱交換器）と、ランキンサイクルにおける前記熱交換器の下流側の作動流体と膨張機下流熱側の作動流体とを熱交換させる内部熱交換器と、エンジンの廃熱を利用して作動流体を加熱するボイラを設けたランキンサイクルを備えた廃熱回生システムが開示されている。
【０００４】
また、特許文献３には、特許文献１と同様に、エンジン廃熱を利用してエネルギーを生成する廃熱回収システムであって、冷凍サイクルの廃熱を利用するため、冷凍サイクルの吐出冷媒とランキンサイクルの作動流体とを熱交換させる熱交換器と、エンジンの廃熱を利用して作動流体を加熱するボイラを設けたランキンサイクルと、前記熱交換器の下流側にコンデンサを設けた冷凍サイクルとを備えた廃熱回収システムが開示されている。
【０００５】
【特許文献１】特開２００９−２０４２０４号
【特許文献２】特開２０１１−８５０２５号
【特許文献３】特開２００５−３２９８４３号
【発明の開示】
【発明が解決しようとする課題】
【０００６】
このような従来技術の対応は、エンジンの廃熱及び冷凍サイクルの廃熱を利用してエネルギーを回収するランキンシステムであるが、これらのランキンシステムの運転は、エンジンの廃熱を利用する、すなわち、エンジンから熱を回収して運転するため、冬の時期などのような外気が寒い状況においてエンジンを始動させる場合には、エンジンが暖まりにくいことからランキンシステムをすみやかに運転させることができないという問題があった。  また、同様に、冬の時期などのような外気が寒い状況において、エンジンが十分に暖気されてからランキンシステムを運転させると、ランキンシステムがエンジン冷却水を介してエンジンの熱を回収することから、車両室内空間を除湿暖房させる場合には、暖房に用いるエンジン冷却水の温度が十分に上がらず暖房能力が不足してしまうという問題もあり、従来技術のランキンシステムを備えた廃熱回収システムにおいては、冬の時期におけるエンジンの暖気、および、室内暖房について、十分に考慮されているとは言えなかった。
【０００７】
本発明は、上記の従来技術の課題を解決するものであり、冬の時期などのような外気が寒い状況においても、エンジンの暖気を速やかに行うことができると共に、エンジンの暖気後にランキンシステムを運転させてランキンシステムでエンジン冷却水の熱を回収しても、冷凍サイクルからの廃熱をエンジン冷却水へ供給することにより、車両室内空間を除湿暖房させる場合に暖房能力の不足を補えることができる、車両用廃熱回収システムを提供するものである。
【課題を解決するための手段】
【０００８】
上記の目的を達成するために、請求項１の発明は、エンジンの廃熱を利用して作動流体を加熱する加熱器と、前記加熱器を経由した作動流体を膨張させて動力を発生する膨張機と、前記膨張機を経由した作動流体を凝縮させるランキン用凝縮器と、前記ランキン用凝縮器を経由した作動流体を前記加熱器へ送出する作動流体ポンプを順次配設したランキンサイクル回路を有するランキンサイクルシステムと、前記加熱器とエンジンとを経由して冷却水がポンプを介して循環するエンジン冷却水回路を有するエンジン冷却水システムと、冷媒を圧縮する圧縮機と、前記圧縮機で圧縮された冷媒を放熱する熱交換器と、前記放熱器で外気と熱交換された後の冷媒を減圧する減圧装置と、減圧された冷媒を加熱する蒸発器を順次配設した冷凍サイクル回路を有する冷凍サイクルシステムとを備え、前記熱交換器は、前記エンジン冷却水回路を流れる冷却水と前記冷凍サイクル回路を流れる冷媒との熱交換を行う熱交換器であって、前記エンジン冷却水回路における前記加熱器と前記エンジンとの間に配設した車両用廃熱回収システムである。
【０００９】
また、請求項２の発明は、請求項１の発明において、前記熱交換器は、前記エンジン冷却水回路における前記加熱器の下流側に配設した車両用廃熱回収システムである。
【００１０】
また、請求項３の発明は、請求項１または２に記載の発明において、前記冷凍サイクルシステムは、前記圧縮機で圧縮された冷媒を外気と熱交換させる放熱器を前記熱交換器と前記減圧装置との間に配設した車両用廃熱回収システムである。
【００１１】
また、請求項４の発明は、請求項３に記載の発明において、前記冷凍サイクル回路には、前記圧縮機と前記熱交換器との間と前記熱交換器と前記減圧装置との間とを接続して前記熱交換器をバイパスするバイパス路と、冷媒の流れを前記熱交換器側または前記パイパス路側に切換える切換装置とが配設されている車両用廃熱回収システムである。
【００１２】
また、請求項５の発明は、請求項４に記載の発明において、前記切換装置は、前記バイパス路の接続部に設けられた切換弁である車両用廃熱回収システムである。
【００１３】
また、請求項６の発明は、請求項４または５のいずれかに記載の発明において、前記冷凍サイクル回路における前記圧縮機の吐出側の吐出冷媒温度が、前記エンジン冷却水回路における前記熱交換器の入口側の冷却水温度より高い場合に、前記切換装置は前記熱交換器側に冷媒を流し、前記圧縮機の吐出側の吐出冷媒温度が、前記エンジン冷却水回路における前記熱交換器の入口側の冷却水温度以下の場合に、前記切換装置は前記バイパス路側に冷媒を流すように制御される車両用廃熱回収システムである。
【発明の効果】
【００１４】
本発明によれば、冷媒を圧縮する圧縮機と、前記圧縮機で圧縮された冷媒を放熱する熱交換器と、前記放熱器で外気と熱交換された後の冷媒を減圧する減圧装置と、減圧された冷媒を加熱する蒸発器を順次配設した冷凍サイクル回路を有する冷凍サイクルシステムとを備え、前記熱交換器は、前記エンジン冷却水回路を流れる冷却水と前記冷凍サイクル回路を流れる冷媒との熱交換を行う熱交換器であって、前記エンジン冷却水回路における前記加熱器と前記エンジンとの間に配設したので、冷凍サイクルシステムにおける圧縮機の運転により圧縮された冷媒の熱をエンジン冷却水回路を流れる冷却水に供給することができるため、冬の時期などのような外気が寒い状況において、エンジンの暖気を速やかに行うことができる。また、エンジンの暖気後にランキンサイクルシステムを運転させてエンジン冷却水回路を流れる冷却水の熱を回収しても、冷凍サイクルシステムにおける圧縮機の運転により圧縮された冷媒の熱をエンジン冷却水回路を流れる冷却水へ供給することにより、車両室内空間を除湿暖房させる場合に暖房能力の不足を補えることができる、という利点がある。
【００１５】
また、前記熱交換器は、前記エンジン冷却水回路における前記加熱器の下流側に配設したため、前記加熱器を通過することによって温度が下がったエンジン冷却水と高温の冷媒との温度差を確保して熱交換することができるので、熱交換効率が良くなるという利点がある。
【００１６】
また、前記冷凍サイクルシステムは、前記圧縮機で圧縮された冷媒を外気と熱交換させる放熱器を前記熱交換器と前記減圧装置との間に配設したので、前記熱交換器で放熱しきれない冷媒の熱を放熱器で放熱できるため、冷凍回路の効率が良くなるという利点がある。
【００１７】
前記冷凍サイクル回路には、前記圧縮機と前記熱交換器との間と前記熱交換器と前記減圧装置との間とを接続して前記熱交換器をバイパスするバイパス路と、冷媒の流れを前記熱交換器側または前記パイパス路側に切換える切換装置とが配設されているので、例えば、前記冷凍サイクル回路における前記圧縮機の吐出側の吐出冷媒温度が前記エンジン冷却水回路における前記熱交換器の入口側の冷却水温度以下の場合に、前記熱交器で熱交換してしまうことによって、エンジンの暖気が妨げられたり、冷凍回路システムの効率が下がってしまうことを抑制できるという利点がある。
【００１８】
また、前記切換装置は、前記バイパス路の接続部に設けられた切換弁であるため、冷凍サイクル回路に切換弁を接続するのが容易であるという利点がある。
【００１９】
さらに、前記冷凍サイクル回路における前記圧縮機の吐出側の吐出冷媒温度が、前記エンジン冷却水回路における前記熱交換器の入口側の冷却水温度より高い場合に、前記切換装置は前記熱交換器側に冷媒を流し、前記圧縮機の吐出側の吐出冷媒温度が、前記エンジン冷却水回路における前記熱交換器の入口側の冷却水温度以下の場合に、前記切換装置は前記バイパス路側に冷媒を流すように制御されるため、例えば、冷凍サイクル回路における前記圧縮機の吐出側の吐出冷媒温度が、前記エンジン冷却水回路における前記熱交換器の入口側の冷却水温度以下の場合に前記熱交器で熱交換してしまうことによって、エンジンの暖気が妨げられたり、冷凍回路の効率が下がってしまうことを確実に抑制することができるという利点がある。
【図面の簡単な説明】
【００２０】
【図１】第１実施例である車両用廃熱回収システムの構成図
【図２】第２実施例である車両用廃熱回収システムにおいての構成図
【図３】第２実施例である車両用廃熱回収システムにおける冷媒の流れ（熱交換器側）を示す構成図
【図４】第２実施例である車両用廃熱回収システムにおける冷媒の流れ（バイパス路側）を示す構成図
【図５】第１実施例と第２実施例である車両用廃熱回収システムの制御のフローチャート図
【図６】第２実施例の切換弁のフローチャート図
【発明を実施するための最良の形態】
【００２１】
次に、図１、図５に基づいて本発明の第１実施例を説明する。
図１は、本発明の実施例である車両用廃熱回収システム１の構成を示す図であり、本発明の廃熱回収システムは車両のエンジンから廃熱を回収する車両用廃熱回収システム１である。車両用廃熱回収システム１は、ランキンサイクルシステム２とエンジン冷却水システム３と冷凍サイクルシステム４とを備え、また、車両用廃熱回収システム１は制御装置５を有している。制御装置５はランキンサイクルシステム２、冷凍サイクルシステム４の各システムの制御を行っている。
【００２２】
ランキンサイクルシステム２は、エンジンの廃熱を回収して、電力、または、エンジンをアシストする回転駆動力に変換するシステムであり、循環する作動流体を後述するエンジン２３の冷却水を介して加熱する加熱器１１と、加熱器１１を経由した作動流体を膨張させて動力を発生する膨張機１２と、膨張機１２を経由した作動流体を凝縮させるランキン用凝縮器１３と、ランキン用凝縮器１３を経由した作動流体を加熱器１１へ送出する作動流体ポンプ１４を順次配設したランキンサイクル回路１０を備えている。
【００２３】
エンジン冷却水システム３は、車両に搭載された内燃機関であるエンジン２３を冷却するためのシステムであり、エンジン２３を冷却する冷却水が通過するエンジン２３、ポンプ２４、サーモスタット２５、ラジエータ２６を順次配設した循環路２１と、循環路２１の中間に配設された分岐通路２２を備えたエンジン冷却水回路２０を有し、分岐通路２２はポンプ２４とラジエータ２６との間であってサーモスタット２５が配設されている分岐点２９で循環路２１から分岐し、再び、ラジエータ２６とエンジン３の間の分岐点２９で循環路２１に合流する。
【００２４】
ポンプ２４はエンジン２３を通過した冷却水を圧送し、サーモスタット２５はポンプ２４から圧送された冷却水を冷却水の温度によりラジエータ側または分岐通路側のいずれかへ流れ込む冷却水の量を調整する。サーモスタット２５を通過してラジエータ側へ流れ込んだ冷却水はラジエータ２６を通過することにより、車両の走行による走行風や図示しないファンによる送風と熱交換して冷却された後にエンジン２３に送られ、サーモスタット２５を通過して分岐通路側へ流れ込んだ冷却水はラジエータ２６を通過することなく分岐点２９を介してエンジンに送られる。例えば、サーモスタット２５は、冷却水の温度が所定の第１設定温度（例えば９０℃）未満の場合は冷却水をラジエータ側へ流すことなく分岐通路側へ流し、冷却水の温度が所定の第１設定温度以上の場合は冷却水を分岐通路側へ流すことなくラジエータ側へ流し、冷却水の温度に応じて、ラジエータ側へ流す冷却水の量と分岐通路側流す冷却水の量を調整する。尚、ポンプ２４はエンジン２３によって駆動するが、電動モータなどの他の駆動手段によって駆動されても構わない。
【００２５】
従って、エンジン始動当初などのエンジン２３が十分に暖まっていない状態では、エンジン２３を通過する冷却水も高温ではないので、冷却水はラジエータ側へ流れることなく分岐通路２２を流れて再びエンジン２３へ流れ込む。一方、車両が登坂中であってエンジン２３が高回転で回転するような状態、夏場などでエンジン２３が始動してから十分に時間が経っているような状態ではエンジン２３が高温状態になっているため、冷却水も高温になっていることから、冷却水はラジエータ側へ流れてラジエータ２６で冷却された後、再びエンジン２３へ流れ込みエンジン２３を冷却する。
【００２６】
また、エンジン冷却水回路システム３は車室内空間を温めるための熱交換であるヒータコア２８を有している。ヒータコア２８は、エンジン２３の廃熱により暖まった冷却水とヒータコア２８が設置された空間の空気と熱交換することによって車室内空間の暖房を行う熱交換器であって、ヒータコア２８はエンジン冷却水システム３の循環路２１上であってエンジン２３と分岐通路２２の間に配設されている。本実施例では、ヒータコア２８はエンジン冷却水システム３の循環路２１上に配設されているが、循環路２１から分岐して再び循環路２１に合流する通路上にヒータコアを配設しても構わない。尚、その場合は、循環路２１から分岐する分岐点に切換弁を設けて冷却水をヒータコア側に流したり、ヒータコア側に流さず循環路側に流す選択を行う制御を行う。
【００２７】
ランキンサイクル回路１０に配設されている加熱器１１はエンジン冷却水回路２０の分岐通路２２にも配設されている加熱器１１であり、ランキンサイクル回路１０を循環する作動流体と、エンジン冷却水回路２０を循環する冷却水との熱交換を行う加熱器１１である。この加熱器１１によって、ランキンサイクルシステム２は、エンジン冷却水回路２０を循環する冷却水を介してエンジン廃熱を回収し、電力、または、エンジン２３をアシストする回転駆動力に変換する。また、ランキンサイクル回路１０に配設されている作動流体ポンプ１４は加熱器１１を通過する直前の冷却水の温度が所定の第２設定温度（例えば８５℃）以上になると駆動し、加熱器１１を通過する直前の冷却水の温度が所定の第２設定温度未満になると停止するように制御される。
【００２８】
冷凍サイクルシステム４は、車両に搭載された空調システムに用いられ、エンジン２３の駆動により、または、電動モータにより駆動して冷媒を圧縮する圧縮機３１と、圧縮機３１で圧縮された冷媒を外気と熱交換させることにより凝縮させる凝縮器としての放熱器３２と、放熱器３２で外気と熱交換して凝縮した後の冷媒を減圧する減圧装置としての膨張弁３３と、車室内の空気を冷却するために膨張弁３３で減圧された冷媒と車室内の空気とを熱交換する蒸発器３４を順次配設した冷凍サイクル回路３０とを備えている。尚、本実施例では凝縮器としての放熱器３２を使用しているが、例えば、冷媒が二酸化炭素の場合には二酸化炭素冷媒が凝縮しないため、凝縮器としての放熱器３２ではなく二酸化炭素冷媒を放熱させる放熱器であっても構わない。
【００２９】
冷凍サイクルシステム４の稼働は車両利用者が図示しない空調システムのスイッチをオンすることにより行われ、圧縮機３１がエンジン２３の駆動によって動作する圧縮機３１の場合は、例えば、エンジン２３と圧縮機３１の間に配置された図示しない電磁クラッチが空調システムのスイッチのオンによってエンジン２３の駆動を圧縮機３１に伝え圧縮機３１が駆動する。圧縮機３１が電動モータによって動作する圧縮機３１の場合は、空調システムのスイッチのオンによって電動モータが動作して圧縮機３１が駆動する。
【００３０】
さらに、車両用廃熱回収システム１は、冷凍サイクル回路３０を流れる冷媒とエンジン冷却水回路２０を流れる冷却水との熱交換を行う熱交換器２７を有している。この熱交換器２７は冷凍サイクル回路３０の圧縮機３１と放熱器３２との間であって、かつ、エンジン冷却水回路２０の分岐通路２２の加熱器下流側に配設されており、圧縮機３１から吐出されて高温になった冷媒の熱が熱交換器２７を介して冷却水に移動する。  
【００３１】
尚、本実施例の冷凍サイクルシステム４においては、冷凍サイクル回路３０を流れる冷媒とエンジン冷却水回路２０を流れる冷却水との熱交換を行う熱交換器２７と、圧縮機３１で圧縮された冷媒を外気と熱交換させることにより凝縮させる凝縮器としての放熱器３２とが冷凍サイクル回路３０に配設されているが、熱交換器２７が配設されていれば放熱器３２は必ずしも配設されていなくてもよい。
【００３２】
次に本実施例の動作を説明する。エンジン始動によりポンプ２４が駆動し冷却水がエンジン冷却水回路２０を循環する。エンジン始動当初は冷却水の温度が低く、サーモスタット２５の直前を通過する冷却水の温度が第１設定温度（９０℃）未満のため、冷却水はサーモスタット２５によりラジエータ側ではなく分岐通路側に流入して、加熱器１１と熱交換器を２７通過した後、エンジン２３に再度流れ込んでエンジン冷却水回路２０を循環する。エンジン始動時が冬の時期などのような外気が寒い状況においては冷却水の温度が夏の時期に比べて低いことから、低い温度の冷却水によってエンジン２３が暖まらずエンジン２３の暖気に時間がかかることになる。また、車室内空間を温めるためのヒータコア２８にも低い温度の冷却水が流れるため車室内空間を温めることができない。
【００３３】
そこで、エンジン２３の暖気に時間がかかるので運転者が暖気を促進したいと判断した場合に空調システムのスイッチをオンにする。空調システムのスイッチがオンにされると、圧縮機３１が駆動し、圧縮機３１から吐出された高温冷媒が熱交換器２７に流れ込み、高温冷媒がまだ温度の低い冷却水と熱交換して冷却水の温度を上昇させ、熱交換器２７により温度上昇した冷却水はエンジン２３に再び流れ込みエンジン２３の暖気が促進させる。また、熱交換器２７により温度上昇した冷却水はヒータコア２８にも流れ込み車室内空間の暖房を促進する。
【００３４】
エンジン２３の暖気が促進されて冷却水の温度が上昇し、加熱器１１を通過する直前の冷却水の温度が第２設定温度（８５℃）に達すると、作動流体ポンプ１４が駆動して作動流体がランキンサイクル回路１０を循環してランキンサイクルシステム２が稼働し、膨張機２１が駆動して動力を発生する。ここで、ランキンサイクルシステム２が稼働すると加熱器１１において冷却水の熱が作動流体に移動することから加熱器通過後の冷却水の温度は下がる。しかし、本実施例ではエンジン冷却水回路２０の分岐通路２２の加熱器下流側に熱交換器２７が配設されているので、加熱器通過後の温度の下がった冷却水は熱交換器２７で高温の吐出冷媒から熱を回収するため、ランキンサイクルシステム２が稼働する場合であってもエンジンの暖気と冬季における車室内空間の暖房を促進させることができる。
【００３５】
尚、膨張機１２が回収する動力（ランキン出力）が不十分である場合、例えば、膨張機１２で回収した動力が電力に変換される場合はその電力が所定値に達しない場合、または、膨張機１２の上流側と下流側の圧力差が所定値に達しない場合は、制御装置５はランキン出力が不十分であるとして作動流体ポンプ１４の駆動を停止する。
【００３６】
本発明の第２実施例を図２〜図５、図６に基づいて説明する。第１実施例と第２実施例の相違は、第２実施例では冷凍サイクル回路３０の圧縮機３１と放熱器３２との間に熱交換器２７をバイパスするバイパス路３５を設けているが、第１実施例ではバイパス路３５が無い点であり、その他の構成は第１実施例と同じである。尚、第２実施例において第１実施例と同一の符号は同一の構成要素であるので、その詳細な説明は省略する。
【００３７】
図２において、冷凍サイクルシステム４は、第１実施例の冷凍サイクル回路４と共通する冷凍サイクル回路３０の圧縮機３１と熱交換器２７との間と、熱交換器２７と放熱器３２との間とに接続して熱交換器２７をバイパスするバイパス路３５と、圧縮機３１から吐出された冷媒の流れを熱交換器側またはパイパス路側に切換える切換装置としての切換弁３６とを有しており、切換弁３６はバイパス路３５の圧縮機側接続部（圧縮機と熱交換器の間の通路との接続部）に配設されている。尚、本実施例では切換弁３６はバイパス路３５の圧縮機側接続部に配設されているが、切換弁３６はバイパス路３５の放熱器側接続部（熱交換器と放熱器の間の通路との接続部）に配設されていても構わない。また、本実施例では切換装置は切換弁３６であるが、切換装置は、例えば、バイパス路上と、バイパスされる熱交換器２７が配設された冷凍サイクル回路上とのそれぞれに開閉弁を設けて、圧縮機３１から吐出された冷媒の流れを熱交換器側またはパイパス路側に切換える形式でも構わない。
【００３８】
また、尚、本実施例の冷凍サイクルシステム４においては、冷凍サイクル回路３０を流れる冷媒とエンジン冷却水回路２０を流れる冷却水との熱交換を行う熱交換器２７と、圧縮機３１で圧縮された冷媒を外気と熱交換させることにより凝縮させる凝縮器としての放熱器３２とが冷凍サイクル回路３０に配設されているが、熱交換器２７が配設されていれば放熱器３２は必ずしも配設されていなくてもよい。
【００３９】
また、尚、本実施例の冷凍サイクルシステム４においては、バイパス路３５は、圧縮機３１と熱交換器２７との間と、熱交換器２７と放熱器３２との間とに接続して熱交換器２７をバイパスするが、バイパス路３５は、圧縮機３１と熱交換器２７との間と、膨張弁３３と放熱器３２との間とに接続して、熱交換器２７と放熱器３２とをバイパスする熱交換器であっても構わない。すなわち、熱交換器２７をバイパスするバイパス路であればよい。
【００４０】
また、本実施例の冷凍サイクルシステム４において、放熱器３２が配設されていない場合においても同様に、熱交換器２７をバイパスするバイパス路であれば、圧縮機３１と熱交換器２７との間と、膨張弁３３と熱交換器２７との間とを接続するバイパス路でも構わない。
【００４１】
切換弁３６の動作は制御装置５により次のように行われる。冷凍サイクル回路３０の圧縮機３１と切換弁３６との間に設けられた図示しない温度センサーにより吐出冷媒の温度Ｔ１と、エンジン冷却水回路２０の加熱器１１と熱交器２７の間に設けられた図示しない温度センサーにより加熱器通過後の冷却水の温度Ｔ２が測定され、吐出冷媒の温度Ｔ１が冷却水の温度Ｔ２を超えた場合に、制御装置５は切換弁３６を熱交換器側に切換えて冷媒を熱交換器２７に流し、吐出冷媒の温度Ｔ１が冷却水の温度Ｔ２以下の場合に、制御装置５は切換弁３６をバイパス路側に切換えて冷媒をバイパス路３５に流す。
【００４２】
次に本実施例の動作を説明する。エンジン始動によりポンプ２４が駆動し冷却水がエンジン冷却水回路２０を循環する。エンジン始動当初は冷却水の温度が低く、サーモスタット２５の直前を通過する冷却水の第１設定温度（９０℃）未満のため、冷却水はサーモスタット２５によりラジエータ側ではなく分岐通路側に流入して、加熱器１１と熱交換器２７を通過した後、エンジン２３に再度流れ込んでエンジン冷却水回路２０を循環する。エンジン始動時が冬の時期などのような外気が寒い状況においては冷却水の温度が夏の時期に比べて低いことから、低い温度の冷却水によってエンジン２３が暖まらずエンジン２３の暖気に時間がかかることになる。また、車室内空間を温めるためのヒータコア２８にも低い温度の冷却水が流れるため車室内空間を温めることができない。
【００４３】
そこで、エンジン２３の暖気に時間がかかるので運転者が暖気を促進したいと判断した場合に空調システムのスイッチをオンにする。空調システムのスイッチがオンにされると、圧縮機３１が駆動し、圧縮機３１から吐出された高温冷媒が冷凍サイクル回路３０を循環する。エンジン始動時であるため加熱器通過後の冷却水温度Ｔ２が、吐出冷媒の温度Ｔ１より低い状態にあることから、吐出冷媒の温度Ｔ１が加熱器通過後の冷却水温度Ｔ２を超えているので切換弁３６は吐出冷媒を熱交換器側に流れるように切換り、高温の吐出冷媒がまだ温度の低い冷却水と熱交換して冷却水の温度を上昇させ、熱交換器２７により温度上昇した冷却水はエンジン２３に再び流れ込みエンジン２３の暖気が促進させる。また、熱交換器２７により温度上昇した冷却水はヒータコア２８にも流れ込み車室内空間の暖房を促進する。
【００４４】
冬場は室内空間の温度は夏場に比べて低いので、冷凍サイクルシステム４にとっては低負荷の運転となるため、熱交換器２７により冷却水の温度が上昇してエンジン２３の暖気、車室内空間の暖房が促進されてくると加熱器通過後の冷却水温度Ｔ２が上昇してきて吐出冷媒の温度Ｔ１が冷却水温度Ｔ２以下になり、切換弁３６は吐出冷媒がバイパス通路側に流れるように切換る。吐出冷媒がバイパス通路側に流れて熱交換器２７には流れなくなるので吐出冷媒の温度が熱交換器２７によって上昇してしまうことが防止できるので冷凍サイクルシステム４の効率が下がってしまうことを抑制できる効果がある。
【００４５】
本発明の第１実施例、第２実施例では、エンジン冷却水回路２０における熱交換器２７は加熱器１１の下流側に配設されているため、エンジン冷却水回路２０における熱交換器２７と加熱器１１が逆に配設されている場合に比べて、加熱器１１を通過して温度の下がった冷却水と高温の吐出冷媒との温度差が確保できるので、熱交換器２７における熱交換効率が良くなるという効果を有する。
【符号の説明】
【００４６】
１  車両用廃熱回収システム
２  ランキンサイクルシステム
３  エンジン冷却水システム
４  冷凍サイクルシステム
５  制御装置
１０  ランキンサイクル回路
１１  加熱器
１２  膨張機
１３  ランキン用凝縮器
１４  作動流体ポンプ
２０  エンジン冷却水回路
２１  循環路
２２  分岐通路
２３  エンジン
２４  ポンプ
２５  サーモスタット
２６  ラジエータ
２７  熱交換器
２８  ヒータコア
２９  分岐点
３０  冷凍サイクル回路
３１  圧縮機
３２  放熱器
３３  膨張弁
３４  蒸発器
３５  バイパス路
３６  切換弁
【図１】
2019120164.tif 000003
【図２】
2019120164.tif 000004
【図３】
2019120164.tif 000005
【図４】
2019120164.tif 000006
【図５】
2019120164.tif 000007
【図６】
2019120164.tif 000008